(57)【要約】      （修正有）【課題】製造コストを低減させ、クラブヘッドのそれぞれの釣合い重りを調整可能にするとともに、クラブヘッドの振動吸収性の改善を図る釣合い重り構造を提供する。【解決手段】クラブヘッド本体１の裏穴２内にリング状壁が設けられ、凹溝３が隔てて形成してある。凹溝３の開口方向と裏穴２開口方向とが共に後ろに向かっており、凹溝３内には非金属釣り合い重りブロック４が一つ以上設けられている。非金属釣り合い重りブロック４は、例えばタングステン粉末とプラスチックの混合物、タングステン粉末と樹脂の混合物、タングステン粉末とゴムの混合物、タングステン粉末とゴムプラスチックポリマーの混合物などのような重金属高分子ポリマーからなる。ゴルフクラブヘッドの調整可能な釣り合い重り構造は、製造コストを大いに低減させ、クラブヘッドのそれぞれの釣り合い重りを調整可能にするとともに、クラブヘッドの振動吸収性も改善される。【選択図】図１
0003148681.tif 000002
【実用新案登録請求の範囲】
【請求項１】
フェース面（１６）とは裏側に裏穴（２）を有するクラブヘッド本体（１）の該裏穴（２）内に凹溝（３）を隔てて作るようにリング状壁（１７）が設けてあり、
該凹溝（３）の開口の方向と該裏穴（２）の開口の方向とが共に後ろを向いており、前記凹溝（３）内に非金属釣り合い重りブロック（４）が一つ以上設けてあることを特徴とするゴルフクラブヘッドの調整可能な釣合い重り構造。
【請求項２】
該クラブヘッド本体（１）は、ヒール部（１１）、トウ部（１２）、クラウン部（１３）及びソール部（１４）を備えており、
該リング状壁（１７）が半密閉状をなし、該リング状壁（１７）と該ソール部（１４）とで前記凹溝（３）を囲み、
若しくは、前記リング状壁（１７）が密閉した環状をなし、密閉した環状である前記リング状壁（１７）で前記凹溝（３）を囲むことを特徴とする請求項１に記載のゴルフクラブヘッドの調整可能な釣合い重り構造。
【請求項３】
前記非金属釣り合い重りブロック（４）は、重金属高分子ポリマーからなることを特徴とする請求項１に記載のゴルフクラブヘッドの調整可能な釣合い重り構造。
【請求項４】
前記重金属高分子ポリマーは、
タングステン粉末とプラスチックの混合物、
タングステン粉末と樹脂の混合物、
タングステン粉末とゴムの混合物、
タングステン粉末とゴムプラスチックポリマーの混合物、
鉛粉とプラスチックの混合物、
鉛粉と樹脂の混合物、
鉛粉とゴムの混合物、
鉛粉とゴムプラスチックポリマーの混合物、
鉄粉とプラスチックの混合物、
鉄粉と樹脂の混合物、
鉄粉とゴムの混合物、
鉄粉とゴムプラスチックポリマーの混合物、
銅粉とプラスチックの混合物、
銅粉と樹脂の混合物、
銅粉とゴムの混合物、
銅粉とゴムプラスチックポリマーの混合物、
銅タングステン合金粉とプラスチックの混合物、
銅タングステン合金粉と樹脂の混合物、
銅タングステン合金粉とゴムの混合物、
又は銅タングステン合金粉とゴムプラスチックポリマーの混合物の何れかであることを特徴とする請求項３に記載のゴルフクラブヘッドの調整可能な釣合い重り構造。
【請求項５】
前記非金属釣り合い重りブロック（４）は、二つ以上あり、前記凹溝（３）内に順に重ね接合してあることを特徴とする請求項４に記載のゴルフクラブヘッドの調整可能な釣合い重り構造。
【請求項６】
前記非金属釣り合い重りブロック（４）は、前記凹溝（３）内に粘着されていることを特徴とする請求項５に記載のゴルフクラブヘッドの調整可能な釣合い重り構造。
【請求項７】
前記凹溝（３）内に嵌合され、一つ以上の調整孔（６）が形成された高分子弾性振動吸収ブロック（５）を更に備え、前記非金属釣り合い重りブロック（４）は一つ以上設けられて前記調整孔（６）と整合していることを特徴とする請求項４に記載のゴルフクラブヘッドの調整可能な釣合い重り構造。
【請求項８】
前記調整孔（６）は、ザグリ孔、又は、前記高分子弾性振動吸収ブロック（５）を貫通した厚さサイズを有することを特徴とする請求項７に記載のゴルフクラブヘッドの調整可能な釣合い重り構造。
【請求項９】
前記非金属釣り合い重りブロック（４）は、前記調整孔（６）内に粘着してあり、
前記高分子弾性振動吸収ブロック（５）は、前記凹溝（３）内に粘着してあることを特徴とする請求項７に記載のゴルフクラブヘッドの調整可能な釣合い重り構造。
【請求項１０】
前記複数の非金属釣り合い重りブロック（４）は、形状、体積及び密度が全く同様であり、その重量が単位重量であることを特徴とする請求項５乃至９のうちいずれか一項に記載のゴルフクラブヘッドの調整可能な釣合い重り構造。
【請求項１１】
前記凹溝（３）は、その外部にカバー板が設けてあることを特徴とする請求項１０に記載のゴルフクラブヘッドの調整可能な釣合い重り構造。
【考案の詳細な説明】
【技術分野】
【０００１】
本考案はゴルフクラブヘッドに関し、特にゴルフクラブヘッドの調整可能な釣合い重り構造に関する。
【背景技術】
【０００２】
利用者はゴルフをする際に、通常、重量が自身のコントロールに相応しいゴルフクラブを選択することから、クラブヘッドの重量を調整してコントロールするように、ゴルフクラブの製造メーカとして販売地域における実際の利用要望に基づき多種多様な釣合い重りを備えるクラブを製造している。
【０００３】
従来のゴルフクラブヘッドの釣合い重り構造は、クラブ本体内において凹んだ嵌合溝を形成し、タングステンや銅などの重金属で嵌合溝と整合するような金属釣合い重りブロックを作製し、この金属釣合い重りブロックを嵌合溝内に固定するようにし、ゴルフクラブの種類ごとに特定の釣合い重り重量を有している。
【０００４】
このように、メーカはシリーズでクラブヘッドをそれぞれ異なるサイズの嵌合溝を有するように製造し、更に体積の大小違った金属釣合い重りブロックを嵌合させ、これによって、異なる釣り合い重量のあるゴルフクラブヘッドをシリーズで製造することができるようになり、各地域、異なる利用者それぞれの釣り合い重量に対する要望に応えている。
【考案の開示】
【考案が解決しようとする課題】
【０００５】
しかしながら、実際の利用過程において、このようなゴルフクラブヘッドの釣り合い重り構造には以下のような不具合がある。
【０００６】
第１に、金属釣合い重りブロックとして比重の大きいタングステンや銅などの重金属を採用するため、原料コストと加工コストが非常に高い上、体積の大小違った金属釣合い重りブロックを製造する際に、サイズの異なった各種類の製造モールドが必要になり、メーカの生産コストを大いに増大させており、このような釣り合い重り機能付きのゴルフクラブヘッドは高価なままとなり、利用者の購入にも支障をきたしている。
【０００７】
第２に、このような釣り合い重り構造において、クラブヘッド毎に嵌合溝と金属釣合い重りブロックが変更できなくなり、それぞれの釣り合い重り重量も調整不可能になっているため、利用者が多種類の異なった釣り合い重り重量を利用しようとする場合、シリーズで異なる釣り合い重りを有するゴルフクラブヘッドを複数個購入しなければならず、利用者の購入負担が増えている。
【０００８】
第３に、金属釣合い重りブロックは振動吸収性を有しておらず、クラブヘッドの振動吸収性の改良に有利ではない。そして、金属釣合い重りブロックは通常、スクリューなどによってクラブヘッドに固定する必要があることから、製造及び組立が複雑で、更に製造コストを向上させている。
【０００９】
そこで、本考案は、著しく製造コストを低減させ、クラブヘッドごとに釣り合い重りを調整可能にすると共に、クラブヘッドの振動吸収性の改良に有利なゴルフクラブヘッドの調整可能な釣り合い重り構造を提供することを目的とする。
【課題を解決するための手段】
【００１０】
本考案のゴルフクラブヘッドの調整可能な釣り合い重り構造は、裏穴を有するクラブヘッド本体を備えるゴルフクラブヘッドにおいて、裏穴内に凹溝を隔てて作るようにリング状壁が設けられ、凹溝の開口方向と該裏穴の開口方向とが共に後ろに向かっており、前記凹溝内には非金属釣り合い重りブロックが一つ以上設けてある構成である。
【考案の効果】
【００１１】
本考案によれば、調整可能な釣り合い重り構造は重金属で釣り合い重りブロックを製造する必要がなく、原料コストと加工コストが共に低い非金属原料で作製されており、コストダウンを実現でき、一つのクラブヘッドに体積が同じであるが密度が違った非金属釣り合いブロックを配置し、異なる密度の非金属釣り合いブロックを利用者が交換するだけで一つのクラブヘッドで多種の釣合い重りの重量調節を実現すると共に、非金属質のものによりクラブヘッドの振動吸収性の改良にも有利である。
【００１２】
また、本考案において、前記非金属釣り合い重りブロックは重金属高分子ポリマーからなる。本明細書において、「重金属高分子ポリマー」とは、重金属粉を高分子ポリマーに均一に混合させてなる混合物をいう。重金属として、鉄よりも比重の大きいタングステン、鉛、銅、銅タングステン合金などが好ましく、もちろん鉄も採用されるものである。高分子ポリマーには、プラスチック、樹脂、ゴム、ゴムプラスチックポリマー混合物などが含まれる。このような二種類のものでなる混合物には、例えばタングステン粉末とプラスチックとの混合物、タングステン粉末と樹脂との混合物、タングステン粉末とゴムとの混合物、タングステン粉末とゴムとプラスチックポリマーとの混合物などのようなものが挙げられ、所定の量における高分子ポリマーに対し、タングステン粉末の加入度合により非金属釣り合いブロックの密度を調整することで異なる釣り合い重量を実現することができる。その他の重金属高分子ポリマー、例えば鉛粉とプラスチックとの混合物、鉛粉と樹脂の混合物、鉛粉とゴムの混合物、鉛粉とゴムプラスチックポリマーの混合物、銅粉とプラスチックの混合物、銅粉と樹脂の混合物、銅粉とゴムの混合物、銅粉とゴムとプラスチックポリマーの混合物、鉄粉とプラスチックの混合物、鉄粉と樹脂の混合物、鉄粉とゴムの混合物、鉄粉とゴムプラスチックポリマーの混合物、銅タングステン合金粉とプラスチックの混合物、銅タングステン合金粉と樹脂の混合物、銅タングステン合金粉とゴムの混合物、又は銅タングステン合金粉とゴムプラスチックポリマーの混合物などについて、あえて詳しく挙げないが、重金属粉と高分子ポリマーとを混合させる技術は公知のものであり、且つそのような原料を市販で購入したりカスタマイズしたりすることができる。
【００１３】
本考案において、非金属釣り合い重りブロックは二つ以上あり、凹溝内に順に重ね接合している。このように、各非金属釣り合い重りブロックは仕様が統一され、密度が同様なので、利用者は個人の要望に応じて凹溝内にその分の非金属釣り合い重りブロックを設置して釣り合い重りを調整することができる。
【００１４】
本考案において、凹溝内に嵌合され、一つ以上の調整孔を設けた高分子弾性振動吸収ブロックを更に備え、前記非金属釣り合い重りブロックは一つ以上設けられて前記調整孔と整合している。各非金属釣り合い重りブロックの体積は仕様が統一され、密度が同様なので、利用者は個人の要望に応じて調整孔内にその分の非金属振動吸収釣り合い重りブロックを配置してクラブヘッドの釣り合い重りを調整することができる。その中で、高分子弾性振動吸収ブロックはゴム、プラスチック、ゴムプラスチックのポリマー混合物などで作製され、優れた振動吸収性を有しており、非金属釣り合い重りブロックにもある程度の振動吸収性を備えていることに加え、クラブヘッド全体における振動吸収性が改良される。
【００１５】
本考案において、複数の非金属釣り合い重りブロックは形状、体積及び密度が全く同様であり、その重量が単位重量であり、非金属釣り合い重りブロックの数量を選択しただけで釣り合い重りの調整を実現可能になり、且つメーカとして製造モールドを一種のみ使えばよく、製造コスト及び利用者の購入負担を大いに低減させている。
【００１６】
本考案において、非金属釣り合い重りブロックと前記高分子弾性振動吸収ブロックとが粘着にて粘着して固定され、メーカの組立や利用者の着脱に便利である。
【考案を実施するための最良の形態】
【００１７】
以下、本考案のゴルフクラブヘッドの調整可能な釣り合い重り構造の最適な実施例について説明する。
【実施例１】
【００１８】
図１は本考案の実施例１のゴルフクラブヘッドの調整可能な釣り合い重り構造を、クラブヘッド本体１の裏面側から見て分解して示す。
【００１９】
図１に示すように、ゴルフクラブヘッドの調整可能な釣り合い重り構造は、ヒール（Ｈｅｅｌ）部１１、トウ（Ｔｏｅ）部１２、クラウン部１３及びソール部１４を有するクラブヘッド本体１を備えている。ヒール部１１の側に、シャフトが挿入接続されるパイプ柄１５が設けられている。クラブヘッド本体１は、その前面に、フェース面１６を有する。
【００２０】
クラブヘッド本体１のフェース面１６の裏側の面には裏穴２（ｃａｖｉｔｙ）が形成してある。この裏穴２内にリング状壁１７が形成してある。このリング状壁１７によって、裏穴２内に、凹溝３が隔てて形成してある。
【００２１】
リング状壁１７が半密閉状をしていることから、リング状壁１７とソール部１４とで凹溝３を囲んでいる。凹溝３の開口の方向が裏穴２の開口の方向と同じく後ろを向いており、凹溝３の開口方向と裏穴２の開口方向とが互いに略平行或いは小さい角を有するのが望ましい。凹溝３の開口と裏穴２の開口とは、後ろを向いている。
【００２２】
凹溝３内には、一枚以上、例えば三枚の非金属釣り合い重りブロック４が設けており、粘着剤にて順に重ね合うように凹溝３内に接合されている。組立は簡単である。非金属釣り合い重りブロック４は、重金属高分子ポリマーで作製されるものであり、タングステン粉末とプラスチックの混合物、タングステン粉末と樹脂の混合物、タングステン粉末とゴムの混合物、タングステン粉末とゴムプラスチックポリマー混合物などが望ましく、コストが低く、クラブヘッドの振動吸収性の改良に有利である。その他の重金属高分子ポリマーも採用が可能である。
【００２３】
各非金属釣り合い重りブロック４は、体積仕様が統一されており、密度も同じであり、それぞれの重量が例えば一枚に付き重量範囲が１ｇ〜１０ｇのように計測上の単位重量で作製してあることがよい。
【００２４】
利用者は個人の要望に応じて凹溝３内にその分の非金属釣り合い重りブロック４を自発的に粘着させることができる。例えば一枚の非金属釣り合い重りブロック４を粘着剤など粘着剤で凹溝３内に粘着し、更に二枚目を粘着剤など粘着剤で一枚目の非金属釣り合い重りブロック４の裏面に粘着するように、順に繰り返して、求める釣り合い重りに調整するようにする。このようにして、一つのクラブヘッドを、多種類の釣り合い重り重量に調整可能でその重量の調整範囲が１ｇ〜３０ｇの間で変更できる。ゴルフクラブヘッドの製造メーカは製造モールドを一種使えばよく、製造コストと利用者の購入負担を低減させることが可能である。勿論、メーカがクラブヘッドに対して形状、体積が同様であるけれども、密度が相違する非金属釣り合い重りブロックを複数用意し、利用者が密度が違った非金属釣り合い重りブロック４を粘着して釣り合い重りを調整するようにしてもよい。
【００２５】
外観の向上のために、また、非金属釣り合い重りブロックを失われにくくするためにも、凹溝３の外にネームプレートなどのカバー板を取り付けてもよい。勿論、カバー板を取り付けないで、凹溝３内の釣り合い重り構造が外に露出するようにしてもよい。
【００２６】
例えば、＃７（７番アイアン）のヘッドをその総重量を２７０グラムにする場合に、クラブヘッド本体１が２６２グラムで、非金属釣り合い重りブロック４が一枚で４グラムであり、非金属釣り合い重りブロック４がシート状をなすと、凹溝３内に積み重ねるように２枚入ればバランスが取れる。
【実施例２】
【００２７】
図２は本考案の実施例２のゴルフクラブヘッドの調整可能な釣り合い重り構造を、クラブヘッド本体１の裏面側から見て分解して示す。
【００２８】
図２に示すように、ゴルフクラブヘッドの調整可能な釣り合い重り構造の原理及び効果は前記の実施例１と同様であり、ここで重複した説明を省略する。前記の実施例１では非金属釣り合い重りブロック４を凹溝３内に直接に粘着するのに対し、実施例２は、一つ以上の調整孔６が形成してある高分子弾性振動吸収ブロック５が凹溝３内に粘着して嵌合してあり、調整孔６内に非金属釣り合い重りブロック４が直接に粘着して接合してある構成である。
【００２９】
調整孔６は、釣り合い重り重量の要望に応じて形状、大小及び高さ（表面積×高さ＝体積）が変更される。図２では、調整孔６は二つであるが、必要に応じて、図４、図５に示すように一つでよく、或いは、図３に示すように三つ以上若しくはより多く設けてもよく、限定はされない。
【００３０】
非金属釣り合い重りブロック４は、一枚以上あり、高分子弾性振動吸収ブロック５の調整孔６内にそれぞれ直接に粘着して接合されている。
【００３１】
高分子弾性振動吸収ブロック５は、ゴム、プラスチック、ゴムプラスチックポリマー混合物などで作製されており、優れた振動吸収性を備えている。非金属釣り合い重りブロック４にもある程度の振動吸収性を備えている。よって、クラブヘッド本体１は全体において振動吸収性が改良されている。
【００３２】
ゴルフクラブヘッドの製造メーカは、クラブヘッドごとに、重量に対する要望に応じて違った密度を有する非金属釣り合い重りブロック４を複数配置してもよい。各非金属釣り合い重りブロック４は体積と形状において仕様が同じであるものが望ましい。体積×密度＝重量なので、利用者は異なる密度を有する非金属釣り合い重りブロック４を選択することによって、重量を調整する目的を達成することができる。
【００３３】
複数の非金属釣り合い重りブロック４は、形状、体積及び密度を同一にさせ、重量を製造計測上の単位重量とし、一枚、一個につきその重量範囲が１ｇ〜１０ｇの間にあり、調整可能な釣り合い重り構造全体の重量調整が１ｇ〜３０ｇの間で変更するように構成されるのが好ましい。
【００３４】
図３に示すように、利用者は個人の要望と重心の高さに従って、一部の調整孔６又はすべての調整孔６にその分の非金属釣り合い重りブロック４を自由に選択して、クラブヘッドの釣り合い重りを調整する。ゴルフクラブヘッドの製造メーカは、製造モールドを一種のみ使えばよく、製造コスト及び利用者の購入負担が低減される。
【００３５】
図３は、三つの調整孔６に共に非金属釣り合い重りブロック４が粘着されているが、各調整孔６内の非金属釣り合い重りブロック４は数が異なっていることを示す。
【００３６】
高分子弾性振動吸収ブロック５は相対的に低い硬度を有しているので、利用者は個人の要望に従って高分子弾性振動吸収ブロック５における必要な部位に改めて孔を開けたり、元の調整孔６の深さを調整したりすることができ、調整孔６内に二つ以上の非金属釣り合い重りブロックを入れることが可能であり、釣り合い重りの重量に対しても自発的に多くの段階に調整でき、利用に便利である。
【００３７】
図４は、高分子弾性振動吸収ブロック５に調整孔６が一つのみ設けられている実施例の断面を示す。調整孔６はザグリ孔であり、高分子弾性振動吸収ブロック５の厚さ方向に貫通してはいない。
【００３８】
図５は、調整孔６が高分子弾性振動吸収ブロック５の厚さ方向に貫通している実施例の断面を示す。調整孔６はクラブヘッド本体のトウ部側やヒール部側に近づけても、又はトウ部側やヒール部側においてバランスよく位置してもよい。
【００３９】
例えば、＃５（５番アイアン）のヘッドをその総重量を２５０グラムとする場合に、クラブヘッド本体１が２３８グラムで、高分子弾性振動吸収ブロック５が２グラム、非金属釣り合い重りブロック４が一枚で２グラムであるときに、非金属釣り合い重りブロック４をシート状をなすようにすると共に高分子弾性振動吸収ブロック５に一つの調整孔６を備え、調整孔６内に非金属釣り合い重りブロック４を積み重ねるように５枚入ればバランスが取れる。
【００４０】
また、凹溝３の外部にネームプレートなどのようなカバー板を設けることが好ましい。その際に、非金属釣り合い重りブロック４をやや大きめとし、粘着剤で粘着することなく摩擦作用で調整孔６内に直接に押し込んで締められるようにしてもよい。勿論、カバー板を設けないで、凹溝内の釣り合い重り構造が外に露出するようにしてもよい。
【実施例３】
【００４１】
図６は本考案の実施例３のゴルフクラブヘッドの調整可能な釣り合い重り構造を、クラブヘッド本体１の裏面側から見て分解して示す。
【００４２】
図６に示すように、ゴルフクラブヘッドの調整可能な釣り合い重り構造の原理及び効果は実施例１と基本的に同様であり、ここで重複した説明を省略する。前記の実施例１とは相違し、実施例３では、リング状壁１７が密閉した環状をなし、この密閉した環状のリング状壁１７は凹溝３を囲んでいる。このため、凹溝３が前記の実施例１のように半密閉状のリング状壁１７とソール部１４とで共に囲む必要がなくなり、密閉した環状のリング状壁１７はクラブヘッド本体１のソール部に近づけるのが望ましい。
【００４３】
凹溝３はクラブヘッド本体１のソール部に近い位置にあることが望ましい。しかし、特定の要望のために、半密閉状のリング状壁１７が、それぞれヒール部１１、トウ部１２、クラウン部１３と共に囲んで前記凹溝３を形成する構成とすることもできる。また、密閉した環状のリング状壁１７を、ヒール部１１、トウ部１２、クラウン部１３に近い部位に配置して、凹溝３をヒール部１１、トウ部１２、クラウン部１３等の複数の箇所に設けることも可能である。
【００４４】
上記は本考案の実施例に過ぎず、本考案の範囲を制限するものではない。当業者が施す簡単な修正又は等価置換は、裏穴に単独の開口方向が後ろを向く凹溝を区画していると共に、凹溝内に非金属釣り合い重りブロックを設けていれば、本考案の保護範囲に属する。
【図面の簡単な説明】
【００４５】
【図１】本考案の実施例１のゴルフクラブヘッドの調整可能な釣り合い重り構造の分解斜視図である。
【図２】本考案の実施例２のゴルフクラブヘッドの調整可能な釣り合い重り構造の分解斜視図である。
【図３】本考案の実施形態２の釣り合い重り構造を示す断面図である。
【図４】本考案の実施形態２の他の釣り合い重り構造を示す断面図である。
【図５】本考案の実施形態２の更に他の釣り合い重り構造を示す断面図である。
【図６】本考案の実施例２のゴルフクラブヘッドの調整可能な釣り合い重り構造の分解斜視図である。
【符号の説明】
【００４６】
１  クラブヘッド本体
１１  ヒール部
１２  トウ部
１３  クラウン部
１４  ソール部
１５  パイプ柄
１６  フェース面
１７  リング状壁
２  裏穴
３  凹溝
４  非金属釣り合い重りブロック
５  高分子弾性振動吸収ブロック
６  調整孔
【図１】
0003148681.tif 000003
【図２】
0003148681.tif 000004
【図３】
0003148681.tif 000005
【図４】
0003148681.tif 000006
【図５】
0003148681.tif 000007
【図６】
0003148681.tif 000008